(57)【特許請求の範囲】
【請求項１】
外周に凹凸加工を有する断面円形のコルゲートチューブをハーネスに外嵌し、前記コルゲートチューブを所定位置に規制する規制部材を有するハーネス規制装置において、
前記規制部材は断面コ字状を有し、
前記規制部材の内側に形成されて前記コルゲートチューブの端面が当接する１個のリブを備え、
前記リブの高さが、前記コルゲートチューブの外周面の凸部分における厚みと同じか或いはそれより小さく、かつ、前記コルゲートチューブの外周面の凹部分の深さより大きく設定されていることを特徴とするハーネス規制装置。
【発明の詳細な説明】
【技術分野】
【０００１】
本発明は、外周に凹凸加工を有するコルゲートチューブをハーネスに外嵌し、コルゲートチューブを所定位置に規制する規制部材を有するハーネス規制装置に関する。
【背景技術】
【０００２】
従来、コネクタから導出されるワイヤハーネスに、外周に凹凸加工を有するコルゲートチューブをワイヤハーネスに外嵌し、このコルゲートチューブにより、コネクタから導出されたワイヤハーネスの折れ曲がり防止対策や、コネクタカバーとの間の防水対策などが採られている（例えば、特許文献１参照）。
【０００３】
この特許文献１に記載のものは、防水対策が施された特殊な構造であり、コネクタを構成する雌ハウジングの後面側に装着されるカバーを本体カバーおよび蓋カバーにより構成し、本体カバーおよび蓋カバーの導出端側の内面にコルゲートチューブの溝内に収まる半円状の係止突条をそれぞれ複数ずつ形成し、本体カバーに蓋カバーを整合して閉じたときに各突条にコルゲートチューブの溝が嵌挿されてカバー内への水に侵入が防止されるようになっている。
【先行技術文献】
【特許文献】
【０００４】
【特許文献１】特開２００４−１２７８１３号公報（段落００１１〜００１５および図１１参照）
【発明の概要】
【発明が解決しようとする課題】
【０００５】
しかし、上記した特許文献１に記載のコネクタは、防水が主目的であり、コルゲートチューブを導出端に配設することでワイヤハーネスの折れ曲がりも同時に防止できるが、カバー側の突条にコルゲートチューブのどの溝が嵌挿してもよく、換言すればコルゲートチューブの決まった溝がカバー側の決まった突条に嵌挿しなければならない構成ではないため、コルゲートチューブの配設位置を高精度に位置決めする必要がある箇所に、このようなコネクタを設置する場合には不向きであり、コルゲートチューブを高精度に位置決めして配設することができないという問題がある。
【０００６】
本発明は、コルゲートチューブを高精度に位置決めして配設できるようにすることを目的とする。
【課題を解決するための手段】
【０００７】
上記した目的を達成するために、本発明のハーネス規制装置は、外周に凹凸加工を有する断面円形のコルゲートチューブをハーネスに外嵌し、前記コルゲートチューブを所定位置に規制する規制部材を有するハーネス規制装置において、前記規制部材は断面コ字状を有し、前記規制部材の内側に形成されて前記コルゲートチューブの端面が当接する１個のリブを備え、前記リブの高さが、前記コルゲートチューブの外周面の凸部分における厚みと同じか或いはそれより小さく、かつ、前記コルゲートチューブの外周面の凹部分の深さより大きく設定されていることを特徴としている（請求項１）。
【発明の効果】
【０００８】
請求項１に係る発明によれば、規制部材の内側に、コルゲートチューブの外周面の凸部分における厚みと同じか或いはそれより小さく、かつ、コルゲートチューブの外周面の凹部分の深さより大きい高さに形成された１個のリブに、コルゲートチューブの端面が当接するため、リブによってコルゲートチューブの端面の位置を高精度に位置決めしてコルゲートチューブを配設することができ、例えば規制部材をコネクタに取り付けてハーネスをコネクタに導入する際に、規制部材のリブにより位置決めされたコルゲートチューブ内のハーネスを、余長によるたるみや長さ不足による引張りもなくコネクタに導入することが可能になる。
【図面の簡単な説明】
【０００９】
【図１】本発明に係るハーネス規制装置の一実施形態の平面図である。
【図２】図１の一部の斜視図である。
【図３】図１の矢視断面図である。
【図４】図３の一部の断面図である。
【発明を実施するための形態】
【００１０】
本発明に係るハーネス規制装置の一実施形態について、図１ないし図４を参照して詳細に説明する。
【００１１】
図１ないし図３に示すように、自動車のエンジンルーム内に配設されたオルタネータに接続されるコネクタ１にワイヤハーネスＷＨを導入する場合に、エンジンルーム内のコネクタ１の周辺にはスペース的な余裕がなく、ワイヤハーネスＷＨに余長によるたるみや長さ不足による引張りが生じることなくコネクタ１にワイヤハーネスＷＨを導入する必要があることから、平面視がほぼＬ字状を成す断面コ字状を有する樹脂製の規制部材２の中央部２ａをコネクタ１に取り付け、この規制部材２によりワイヤハーネスＷＨを規制する。
【００１２】
このとき、コネクタ１に導入されるワイヤハーネスＷＨに、外周に凹凸加工による複数の突条を有するコルゲートチューブ３が外嵌され、このコルゲートチューブ３が規制部材２の一端部２ｂにおいて位置決めされてワイヤハーネスＷＨが規制されることになる。
【００１３】
そのために、図２に示すように規制部材２の一端部２ｂの内面側に、図３のようにコルゲートチューブ３の端面が当接するリブ５が一体的に形成され、このリブ５の高さが、図４に示すように、コルゲートチューブ３の外周面の凸部分における厚みＡと同じか或いは若干小さく、かつ、コルゲートチューブ３の外周面の凹部分の深さＢよりも大きい高さＨに設定される。
【００１４】
また、コルゲートチューブ３の円形の端面とリブ５との接触面積がより多くなるように、規制部材２の一端部２ｂの側壁に連接するリブ５の端部５ａが、断面円形のコルゲートチューブ３の端面の形状に沿うように三角形状に形成されて、リブ５のその他の部分よりも高く設定されている。
【００１５】
そして、規制部材２をコネクタ１に取り付けた後、ワイヤハーネスＷＨをコルゲートチューブ３ごと規制部材２の他端部の端面側から挿入し、コルゲートチューブ３の端面がリブ５に当接するまで挿入されることにより、コルゲートチューブ３の端面位置が精度よく位置決めされ、コルゲートチューブ３内のワイヤハーネスＷＨが、余長によるたるみや長さ不足による引張りもなくコネクタ１に導入される。
【００１６】
したがって、上記した実施形態によれば、規制部材２の内側に、コルゲートチューブ３の外周面の凸部分における厚みより若干小なる高さに形成されたリブ５に、コルゲートチューブ３の端面が当接するため、リブ５によってコルゲートチューブ３の端面の位置を高精度に位置決めしてコルゲートチューブ３を配設することができ、規制部材２をコネクタ１に取り付けてワイヤハーネスＷＨをコネクタ１に導入する際に、規制部材２のリブ５により位置決めされたコルゲートチューブ３内のワイヤハーネスＷＨを、余長によるたるみや長さ不足による引張りもなくコネクタ１に導入することが可能になる。
【００１７】
また、規制部材２の一端部２ｂの側壁に連接するリブ５の端部５ａを、リブ５のその他の部分よりも高く形成することにより、コルゲートチューブ３の円形の端面とリブ５との接触面積を多くすることができ、コルゲートチューブ３の端面のリブ５への当接により位置決めする際のぶれを低減することができて位置決め作業が容易になる。
【００１８】
なお、本発明は上記した実施形態に限定されるものではなく、その趣旨を逸脱しない限りにおいて上述したもの以外に種々の変更を行なうことが可能である。
【００１９】
例えば、上記した実施形態では、コルゲートチューブ３をワイヤハーネスＷＨに外嵌した例について説明したが、ワイヤハーネスＷＨ以外のハーネスにコルゲートチューブ３を外嵌した場合にも、本発明を適用することができる。
【符号の説明】
【００２０】
１    …コネクタ
２    …規制部材
３    …コルゲートチューブ
５    …リブ
ＷＨ  …ワイヤハーネス
【図１】
0006570279.tif 000002
【図２】
0006570279.tif 000003
【図３】
0006570279.tif 000004
【図４】
0006570279.tif 000005